(57)【特許請求の範囲】
【請求項１】
金属板を折曲して形成した固定板部と継手板部と連結板部とを備え、固定板部と継手板部とは、互いに対面すると共に延長面が４５度の角度をなし、前記固定板部と継手板部との頂角側を連結板部で連結し、固定板部に釘孔を穿設し、継手板部にピン孔を穿設すると共に、連結板部と継手板部の上縁を、適宜な角度の下方傾斜辺に形成してなることを特徴とする隅木又は谷木の接合金具。
【請求項２】
金属板を折曲して形成した固定板部と継手板部とを備え、固定板部を屋根束木の１／２以下の幅とし、継手板部を前記固定板部から１３５度の角度で折曲してなり、固定板部に釘孔を穿設し、継手板部にピン孔を穿設すると共に、継手板部の上縁を適宜な角度の下方への傾斜辺に形成してなる第一金具と、金属板を折曲して形成した固定板部と継手板部と連結板部とを備え、固定板部と継手板部とは、互いに対面すると共に延長面が４５度の角度をなし、前記固定板部と継手板部との頂角側を連結板部で連結し、固定板部に釘孔を穿設し、継手板部にピン孔を穿設すると共に、連結板部と継手板部の上縁を、適宜な角度の下方傾斜辺に形成してなる第二金具とを、左右に固定板部が位置するように継手板部同士を対面当接状態とし、桁材の側面、又は桁材及び束木に渡る側面に、固定板部上縁を桁材上面と一致させて、前記側面に固定板部を釘着し、対面当接する継手板部に隅木又は谷木を連結してなることを特徴とする隅木又は谷木の組立工法。
【発明の詳細な説明】
【０００１】
【産業上の利用分野】
本発明は、隅棟を有する建築物の屋根の隅木、谷木の組み立てに使用する接合金具並びに当該金具を使用した組立工法に関するものである。
【０００２】
【従来の技術及び発明が解決しようとする課題】
従来の木造軸組工法における隅屋根の骨組みとなる隅木や谷木の組み込みは、図８に例示するように、隅木０１や谷木０２と、これらの支持部材である軒桁、母屋または棟木など桁材（横架材）０３との接合部分は、両部材に切欠き加工を行って、これを組み合わせていた。しかし切欠き加工の寸法決定、実施作業には熟練技術と多大な労力が必要とされ、両部材に断面欠損が生じる等の問題点を有している。而も隅木０１や谷木０２によって支持される屋根面材と、桁材０３との間に間隙が生ずる構造は、建築物への断熱機能付与に不利益なものとなる。
【０００３】
そこで隅木０１や谷木０２によって支持される屋根面材と、軒桁（桁材）０３との間に隙間が生じないようにし、且つ部材の切欠き加工を省略できる工法が提案されている。
【０００４】
例えば特開平０９−３０２８３２号公報並びに０９−３０２８３３号公報には、束木の側面に固定して、左右隅木の継手板部を備えた金具が開示されているが、前記金具は、一面の固定部で２個以上の隅木を連結するもので強度上の不安があり、強度の信頼性を高めるために、束木への金具固定をボルトとして、束木と棟木との連結構造を複雑にしている。
【０００５】
また前記公報には、軒桁に隅木を連結する金具も開示されている。この金具は、軒桁の上面並びに入隅側の火打ち梁上に固定する固定板に、隅木を連結する縦板状の継手板部を立設しているもので、強度上の点から入隅部分で且つ火打ち梁を採用した箇所にしか使用できない問題があり、汎用性に欠ける。更に前記の各金具は、溶接箇所が必須であり、当然溶接箇所の防錆処理も必要であり、この点からもコスト高となる。
【０００６】
また特開平１０−９６２９０号公報にも、軒桁の入隅側に隅木を連結する金具が開示されている。この金具は、軒桁への固定部と隅木と連結する継手板部との間を蝶板連結するという複雑な構造を採用し、且つ蝶板連結構造の採用の結果、更に継手板部側に三角筒状の受けプレートを備える必要があり、金具全体が複雑で、その製造が煩雑である。
【０００７】
そこで本発明は、隅木や谷木の組み込みに使用する汎用性を備える金具取り組みで桁材の側面に隅木や谷木を連結する金具、及びその接合金具使用の工法を提案したものである。
【０００８】
【課題を解決するための手段】
本発明に係る金具と組み合わされる第一の金具は、固定板部と継手板部とを備え、固定板部を屋根束木の１／２以下の幅とし、継手板部を前記固定板部から１３５度の角度で折曲してなり、固定板部に釘孔を、継手板部にピン孔を穿設して、継手板部の上縁を適宜な角度の下方への傾斜辺に形成してなることを特徴とするものである。
【０００９】
また本発明に係る金具（第二金具）は、固定板部と継手板部と連結板部とを備え、固定板部と継手板部とは、互いに対面すると共に延長面が４５度の角度をなし、前記固定板部と継手板部との頂角側を連結板部で連結し、固定板部や継手板部に釘孔並びにピン孔を穿設し、連結板部と継手板部の上縁を、適宜な角度の下方傾斜辺に形成してなることを特徴とするものである。
【００１０】
本発明に係る組立工法は、前記第一金具と第二金具とを、その継手板部を対面当接させて組み合わせ、固定板部を桁材の側面等に釘着し、継手板部に隅木又は谷木を連結してなることを特徴とするものである。
【００１１】
従って溶接構造を必要としないで単純な形状の金具の組み合わせで、種々の箇所の隅木並びに谷木の連結組み込みを可能としたものである。
【００１２】
【実施の形態】
次に本発明の実施形態について説明する。本発明工法及び他の参考工法は、隅棟を備えた木造軸組工法を採用した建築物において、屋根の棟部分（棟木４及び束木５）や母屋部分から桁材３に差し渡す隅木１や谷木２を、前記の支持部材である棟木４及び束木５並びに母屋または棟木など桁材（横架材）３との接合に関するもので、接合箇所の軸組構造に対応して本発明に係る接合金具を含む３種の接合金具を使用するものである。
【００１３】
第一金具６は、図１に例示するとおり、金属板を折曲して形成したもので、固定板部６１と継手板部６２とを備えてなる。固定板部６１は、屋根束木５の断面寸法における幅の１／２以下の幅とし、適宜箇所に釘孔６３を適宜数穿設してなる。
【００１４】
また継手板部６２は、前記固定板部６１から１３５度の角度で折曲されているもので、適宜数カ所にピン孔６４を穿設すると共に、上縁（使用形態によっては下縁となる）を適宜な角度（好ましくは屋根勾配規格に対応させる）で下方へ傾斜させて傾斜辺６５としてなる。
【００１５】
第二金具（本発明金具）７は、図２に例示するとおり、金属板を折曲して形成したもので、固定板部７１と継手板部７２と連結板部７３とを備えてなるもので、固定板部７１と継手板部７２とは、互いに対面すると共に延長面が４５度の角度をなし、前記固定板部７１と継手板部７２との頂角側を連結板部７３で連結したものである。更に固定板部７１の適宜数カ所に釘孔７４を穿設し、継手板部７２の適宜数カ所にピン孔７５を穿設すると共に、連結板部７３と継手板部７２の上縁（使用形態によっては下縁となる）を、固定板部７１と連結板部７３の折曲箇所を起点として、適宜な角度（好ましくは屋根勾配規格に対応させる）で下方へ傾斜させて傾斜辺７６を形成してなる。
【００１６】
尚第一金具６と第二金具７は、同一種類又は異種類の金具を組み合わせて使用するものであるから、各金具６，７は、各々左右対称形状である金具であり、また両金具６，７は固定板部６１，７１の上辺高さを同一にした際に継手板部６２，７２のピン孔６４，７５の位置が一致するようにしておく。
【００１７】
第三金具８は、図３に例示するとおり、基板８１と継手板８２とをビス８３で連結して組み立て形成したもので、基板８１は、金属板を折曲して形成したもので、基板部８１１の両側を前方に折曲して背後方向延長面が９０度の角度をなす固定板部８１２を形成すると共に、基板部８１１の上縁を背後に折曲し、前記固定部背面と同一面となる端縁８１３を備えた支持板部８１４を形成してなる。また固定板部８１２の適宜数カ所に釘孔８１５を穿設してなる。
【００１８】
継手板８２は、金属板をＬ状に折曲したもので、折曲面の一方を継手板部８２１とし、他方を連結板部８２２としたもので、継手板部８２１が、基板部８１１の前面中央に基板部８１１に対して縦直交に突設するようにし、適宜数カ所にピン孔８２３を穿設し、且つ基板部８１１より上方に突出させた位置で、連結板部８２２を基板部８１１にビス８３で止着してなるものである。
【００１９】
次に前記金具を使用した本発明方法の実施形態について説明する。本発明金具（第二金具）と組み合わされて使用する第一金具を使用する第一の組立工法（参考工法）は、図４に例示するとおり、隅木１の上部側（屋根束木５の上部側面や、柱の出隅部分）の接合である。
【００２０】
隅木１の接合は、左右対称の一対の第一金具６を、継手板部６２同士を対面当接状態とし、傾斜辺６５を上方に位置させて、固定板部６１の上縁を屋根束木５の上端と一致させ、束木５の上端角部に固定板部６１を釘着する。
【００２１】
一方隅木１は、連結端面に前記継手板部６２に嵌合する縦溝を予め穿設形成しておき、前記縦溝内に継手板部６２を嵌合し、適宜なピンやボルトで連結してなる。
【００２２】
第二の組立工法（参考工法）は、図５に例示するとおり、前記第一工法と同様に対称形状の一対の第一金具６を使用するものであるが、使用箇所が軒桁（桁材）３の出隅部分に谷木２を組み込むために、第一工法とは、上下逆にして傾斜辺６５を下方に位置させて、固定板部６１の上縁を桁材３の上面と一致させて、出隅形状となる桁材３の角部に固定板部６１を釘着し、継手板部６２を谷木の縦溝（予め縦溝を形成しておく）に差し入れて、両者を連結してなる。
【００２３】
第三の組立工法（本発明工法）は、図６に例示するとおり、建築物に高さが異なる２箇所の棟が形成され、低い側の棟端において昇り勾配の隅木１と下り勾配の谷木２が同一箇所に取付き、当該位置において上端高さが等しい棟木４と束木５が接合されている場合等、特に母屋桁材や、棟木等の側面部分に棟木や谷木を連結する場合の工法である。
【００２４】
即ち第一金具６と第二金具７を、継手板部６２，７２を対面当接させて組み合わせ、各金具６，７の固定板部６１，７１を棟木４の側面等に釘着し、対面当接した継手板部６２，７２に谷木２を連結してなるものである。この場合に、傾斜辺６５，７６は上方に位置するように組み合わせてなる。
【００２５】
尚第三組立工法は、隅木１や谷木２の桁材３から連結方向並びに、隅木１や谷木２の選択によって左右対称の二種類の金具の組み合わせと、金具上下の使い分けによって全てに対応する。勿論図６に例示するように、隣接する隅木１や谷木２に対しては、前記の第一工法又は第二工法が適用されるものである。
【００２６】
本発明の第四の組立工法（参考工法）は、図７に例示するとおり軒桁（桁材）３の直交入隅部に隅木１を取付ける為のもので、第三金具８を入隅部分に使用するものである。
【００２７】
即ち第三金具８の両固定板部８１２を、桁材３の直交入隅形状の内側面箇所に、その上縁を桁材３の上面と一致させて釘着し、継手板部８２１に隅木１をその縦溝を使用してボルトやピン体で連結してなるものである。
【００２８】
特に図示した例は、隅木１の場合を示したもので、金具８における基板８１より継手板８２が上方に突出した状態で使用しているが、谷木に対して使用する場合には、金具を上下逆転して使用する。
【００２９】
【発明の効果】
以上のように本発明は、固定板部と継手板部と連結板部とを備え、固定板部と継手板部とは、互いに対面すると共に延長面が４５度の角度をなし、前記固定板部と継手板部との頂角側を連結板部で連結した金具（第二金具）と、釘孔を設けた固定板部とピン孔を設けた継手板部とを備え、継手板部を前記固定板部から１３５度の角度で折曲してなる汎用性を有する第一金具とを組み合わせ、隅木や谷木を束木や桁材の側面に連結する組立工法で、製造容易な金具を採用して、隅木や谷木ならびに桁材等の切欠き加工を無くし、且つ隅木や谷木が載る屋根面材と軒桁との隙間をなくしての接合を可能としたものである。
【図面の簡単な説明】
【図１】本発明金具と組み合わせ使用される第一金具の説明図で、（イ）は正面図（ロ）は平面図。
【図２】本発明金具（第二金具）の説明図で、（イ）は正面図（ロ）は平面図。
【図３】参考第三金具の説明図で、（イ）は正面図（ロ）は平面図（ハ）は側面図。
【図４】参考第一工法の実施形態説明図。
【図５】同第二工法の実施形態説明図。
【図６】本発明工法（第三工法）の実施形態説明図で、（イ）は斜視図（ロ）は平面図。
【図７】参考第四工法の実施形態説明図。
【図８】従来例の説明図。
【符号の説明】
１ 隅木
２ 谷木
３ 桁材（横架材）
４ 棟木（横架材）
５ 束木
６ 第一金具
６１ 固定板部
６２ 継手板部
６３ 釘孔
６４ ピン孔
６５ 傾斜辺
７ 第二金具
７１ 固定板部
７２ 継手板部
７３ 連結板部
７４ 釘孔
７５ ピン孔
７６ 傾斜辺
８ 第三金具
８１ 基板
８１１ 基板部
８１２ 固定板部
８１３ 端縁
８１４ 支持板部
８１５ 釘孔
８２ 継手板
８２１ 継手板部
８２２ 連結板部
８２３ ピン孔
８３ ビス
【図１】
0003553022.tif 000002
【図２】
0003553022.tif 000003
【図３】
0003553022.tif 000004
【図４】
0003553022.tif 000005
【図５】
0003553022.tif 000006
【図６】
0003553022.tif 000007
【図７】
0003553022.tif 000008
【図８】
0003553022.tif 000009